(57)【要約】【課題】矩形輝度パターンを用いて表示装置の輝度特性を精度良く測定することができる輝度特性測定装置、輝度特性測定方法、その記録媒体およびそのプログラムを提供する。【解決手段】輝度特性測定画像生成部Ｍ０２１は、所定の平均輝度を実現する平均輝度パターン（矩形輝度パターン）と、一定輝度となる画素濃度から構成される一定輝度パターンとを一組として、一定輝度の異なる複数組を含む輝度特性測定画像を生成する。輝度特性測定部Ｍ０１１は、輝度特性測定画像生成部Ｍ０２１が生成した輝度特性測定画像を基に、複数組の平均輝度パターンと一定輝度パターンと、複数の一定輝度パターンの一定輝度を利用者が調整可能な調整手段とをディスプレイＭ０１に表示させ、利用者が調整手段により調整後において、複数の中の測定対象である平均輝度パターンの平均輝度の値および一定輝度パターンの一定輝度に応じた画素濃度の値を取得する。【選択図】  図１
2004289652.tif 000002
【特許請求の範囲】
【請求項１】
表示装置に画像を表示する際の前記画像の画素濃度と前記表示装置の輝度との関係を示す輝度特性を測定する輝度特性測定装置であって、
前記表示装置において最高輝度となる画素濃度と最低輝度となる画素濃度との組み合わせで構成されることで所定の平均輝度を実現する平均輝度パターンと、前記平均輝度パターンと比較するための一定輝度となる画素濃度から構成される一定輝度パターンとを一組として、前記平均輝度および／または前記一定輝度の異なる複数組を含む輝度特性測定画像を生成する輝度特性測定画像生成手段と、
前記輝度特性測定画像生成手段が生成した前記輝度特性測定画像を基に、前記複数組の前記平均輝度パターンと前記一定輝度パターンを前記表示装置に表示させると共に、複数の前記平均輝度パターンの平均輝度および／または複数の前記一定輝度パターンの一定輝度を利用者が調整可能な調整手段を前記表示装置に表示させる表示制御手段と、
前記利用者が前記調整手段により調整後において、前記複数組における一組である前記平均輝度パターンの平均輝度の値および前記一定輝度パターンの一定輝度に応じた画素濃度の値を取得する測定結果取得手段と
を具備することを特徴とする輝度特性測定装置。
【請求項２】
表示装置に画像を表示する際の前記画像の画素濃度と前記表示装置の輝度との関係を示す輝度特性を測定する輝度特性測定装置を用いた輝度特性測定方法であって、
前記表示装置において最高輝度となる画素濃度と最低輝度となる画素濃度との組み合わせで構成されることで所定の平均輝度を実現する平均輝度パターンと、前記平均輝度パターンと比較するための一定輝度となる画素濃度から構成される一定輝度パターンとを一組として、前記平均輝度および／または前記一定輝度の異なる複数組を含む輝度特性測定画像を生成する第１のステップと、
前記第１のステップで生成した前記輝度特性測定画像を基に、前記複数組の前記平均輝度パターンと前記一定輝度パターンを前記表示装置に表示させると共に、複数の前記平均輝度パターンの平均輝度および／または複数の前記一定輝度パターンの一定輝度を利用者が調整可能な調整手段を前記表示装置に表示させる第２のステップと、
前記第２のステップで前記利用者が前記調整手段により調整後において、前記複数組における一組である前記平均輝度パターンの平均輝度の値および前記一定輝度パターンの一定輝度に応じた画素濃度の値を取得する第３のステップと
を有することを特徴とする輝度特性測定方法。
【請求項３】
表示装置に画像を表示する際の前記画像の画素濃度と前記表示装置の輝度との関係を示す輝度特性を測定する輝度特性測定装置用のプログラムを記録したコンピュータ読み取り可能な記録媒体であって、
前記表示装置において最高輝度となる画素濃度と最低輝度となる画素濃度との組み合わせで構成されることで所定の平均輝度を実現する平均輝度パターンと、前記平均輝度パターンと比較するための一定輝度となる画素濃度から構成される一定輝度パターンとを一組として、前記平均輝度および／または前記一定輝度の異なる複数組を含む輝度特性測定画像を生成する第１のステップと、
前記第１のステップで生成した前記輝度特性測定画像を基に、前記複数組の前記平均輝度パターンと前記一定輝度パターンを前記表示装置に表示させると共に、複数の前記平均輝度パターンの平均輝度および／または複数の前記一定輝度パターンの一定輝度を利用者が調整可能な調整手段を前記表示装置に表示させる第２のステップと、
前記第２のステップで前記利用者が前記調整手段により調整後において、前記複数組における一組である前記平均輝度パターンの平均輝度の値および前記一定輝度パターンの一定輝度に応じた画素濃度の値を取得する第３のステップと
を前記輝度特性測定装置のコンピュータに実行させるプログラムを記録したコンピュータ読み取り可能な記録媒体。
【請求項４】
表示装置に画像を表示する際の前記画像の画素濃度と前記表示装置の輝度との関係を示す輝度特性を測定する輝度特性測定装置用のプログラムであって、
前記表示装置において最高輝度となる画素濃度と最低輝度となる画素濃度との組み合わせで構成されることで所定の平均輝度を実現する平均輝度パターンと、前記平均輝度パターンと比較するための一定輝度となる画素濃度から構成される一定輝度パターンとを一組として、前記平均輝度および／または前記一定輝度の異なる複数組を含む輝度特性測定画像を生成する第１のステップと、
前記第１のステップで生成した前記輝度特性測定画像を基に、前記複数組の前記平均輝度パターンと前記一定輝度パターンを前記表示装置に表示させると共に、複数の前記平均輝度パターンの平均輝度および／または複数の前記一定輝度パターンの一定輝度を利用者が調整可能な調整手段を前記表示装置に表示させる第２のステップと、
前記第２のステップで前記利用者が前記調整手段により調整後において、前記複数組における一組である前記平均輝度パターンの平均輝度の値および前記一定輝度パターンの一定輝度に応じた画素濃度の値を取得する第３のステップと
を前記輝度特性測定装置のコンピュータに実行させるプログラム。
【発明の詳細な説明】
【０００１】
【発明の属する技術分野】
本発明は、表示装置の輝度特性測定装置、輝度特性測定方法、その記録媒体およびそのプログラムに関するものである。
【０００２】
【従来の技術】
従来のＣＲＴ（Ｃａｔｈｏｄｅ  Ｒａｙ  Ｔｕｂｅ）や液晶表示装置等の表示装置では、一般に表示する画像の画素濃度と輝度の関係を示す輝度特性が非線形である。例えば、ＣＲＴの場合は、輝度をｙ、画素濃度をｘ、ガンマ定数をγとすると、
ｙ  ＝  ｘγ
で近似される。このガンマ定数γにより定まる輝度特性は「ガンマ特性」と呼ばれている。
【０００３】
さて、輝度特性は表示装置の種類ごとに異なる。さらに同種の表示装置であっても製造メーカが異なると輝度特性も異なり、また製造メーカが同じであっても機種ごとに異なる。そして同一機種であっても個々の表示装置ごとに輝度特性が異なる。このため、表示装置を生産する製造メーカは、同一機種で所定の輝度特性になるように個々の表示装置を補正してから出荷しているが、輝度特性にばらつきが生じているのが現状である。そのため、同一機種の２つの表示装置で同一の画像を表示しても、同一の輝度分布にならないことが多い。
【０００４】
たとえば、２つの表示装置Ａ、Ｂの輝度特性が、それぞれ図１５、図１６に示すものであるとする。図１５、１６は、表示装置Ａ、Ｂの輝度特性を示す図であり、縦軸は輝度（０〜最大値）であり、横軸は画素濃度（０〜１）を示すである。この表示装置Ａ、Ｂに、画素濃度＝０．５の均一濃度の画像を表示したとする。また、図１５に示すように、表示装置Ａでは、画素濃度＝０．５における輝度が０に近いため、真っ黒な絵が表示される。また、図１６に示すように、表示装置Ｂでは、輝度が大きいため、真っ白な絵が表示されることになる。
【０００５】
また、表示装置の輝度特性が異なると以下のような問題が生じる。例えば、写真などの芸術作品を表示装置に表示する場合は、作者の表示装置と同じ輝度特性を有する表示装置に表示しなければ、同じ雰囲気の作品として観賞することができない。また、医用画像を表示装置に表示する場合は、輝度特性が表示装置毎に異なると診断時に医者へ誤った情報を与えてしまいかねないので、表示装置の輝度特性を同一にしなければならない。更に、例えばＣＲＴ表示装置は使用時間とともに同一画素濃度に対する輝度が低下するなど、同一の表示装置であっても経年変化などにより異なっている。
【０００６】
このように、画像を表示する場合には、表示装置の輝度特性を取得して、所定の輝度特性に補正する必要がある。所定の輝度特性としては、例えば、線形特性やガンマ定数γ＝２．２になる特性がよく用いられる。また、医用画像を見る場合は、バーテン曲線（Ｂａｒｔｅｎ  ｃｕｒｖｅ）がよく用いられる。以上に示したように、表示装置の輝度特性を測定して補正する必要があり、従来においては、光学的輝度特性測定装置を用いて表示装置の輝度特性を測定していた。
【０００７】
具体的には、輝度特性の測定対象とする表示装置に表示する画像の画素濃度を変化させながらその時々の輝度を光学的輝度測定装置により測定することにより、図１７に示すような輝度特性を得る。図１７は、光学的輝度測定装置により測定した輝度特性グラフ例を示す図である。図１７に示すように、測定時に変化させる画素濃度の変化量は一定量＝Δである。
【０００８】
この時の光学的輝度測定装置における測定動作について図を用いて説明する。図１８は、光学的輝度測定装置における測定動作を示すフロー図である。尚、表示装置にはコンピュータが接続されており、このコンピュータが任意の画素濃度の画像を表示装置に表示する処理を行う。また、コンピュータと光学的輝度測定装置も接続されており、コンピュータは、光学的輝度測定装置から輝度の測定結果を受信する。
【０００９】
図１８に示すように、まず、ステップＳ１００において、コンピュータは、初期値として画素濃度＝０に設定する。次に、ステップＳ１０１において、コンピュータは、画素濃度をΔ増加させる。これにより、画素濃度Δの画像が表示装置に表示される。次に、ステップＳ１０２において、光学的輝度測定装置が、表示装置に表示された画像の輝度を測定する。測定を終えると光学的輝度測定装置は測定結果をコンピュータに送信する。次に、ステップＳ１０３において、コンピュータは、画素濃度が最大値（＝１）を超えたか否かを判定する。
【００１０】
ここで、画素濃度が最大値を超えていない場合（ステップＳ１０３のＮｏ）には、コンピュータは、ステップＳ１０１に戻り、更に画素濃度をΔ増加させる。また、画素濃度が最大値を超えている場合（ステップＳ１０３のＹｅｓ）には、コンピュータは、測定処理を終了する。以上により、表示装置の輝度特性を測定して、図１７に示すような表示装置の輝度特性を示すグラフを生成することができる。
【００１１】
しかしながら、光学的輝度測定装置は一般に高価である。さらに光学的輝度測定装置を使用した輝度特性測定および補正は処理時間がかかる。そのため、病院など表示装置を多く所有している現場では、実用的ではない。
【００１２】
これに対し、表示装置に最高輝度と最低輝度で構成された矩形輝度パターンを表示することにより輝度特性を測定および補正する方法が提案されている。この方法であれば、光学的輝度測定装置は不要であるため、利用者は経年変化による輝度特性の変化や出荷時の補正のばらつきがあっても正しい輝度特性を測定して補正することが可能である（例えば、特許文献１参照。）。
【００１３】
具体的には、（１）最高輝度と最低輝度で構成された矩形輝度パターンと所定の一定輝度パターンを比較しやすい位置に配置して表示し、（２）矩形輝度パターンの平均輝度と等しくなるように一定輝度パターンの輝度を利用者に調整させること、により輝度特性を測定する。
【００１４】
図１９は、上述した矩形輝度パターンを利用した測定方法の一例を示す図である。図１９において、ａ２は、一定輝度パターン表示部であり、一定輝度パターンを表示する部分である。また、ｂ２は、矩形輝度パターン表示部であり、矩形輝度パターンを表示する部分である。また、図１９に示すように一定輝度パターン表示部ａ２を囲むように矩形輝度パターン表示部ｂ２が配置され、両者を比較しやすい位置関係に配置されている。また、一定輝度パターン表示部ａ２および矩形輝度パターン表示部ｂ２が表示されている部分をまとめて輝度表示区画部Ｓ２とする。Ｋ２は、輝度パターン可変部であり、利用者がマウス等を利用して調整つまみＫ１を移動させることで、一定輝度パターン表示部ａ２の輝度を調整可能である。
【００１５】
例えば、矩形輝度パターン表示部ｂ２の矩形輝度パターンが、最高輝度と最低輝度を単位面積あたり１対１の割合で構成しているとする。この場合、矩形輝度パターン表示部ｂ２を十分遠くから眺めると、輝度が平均化されて、あたかも最高輝度と最低輝度の丁度半分の輝度で表示されているように見える。この輝度に等しく見えるように輝度パターン可変部Ｋ２の調整つまみＫ１を操作して、そのときの一定輝度パターン表示部ａ２の画素濃度を求めれば、図２０のようなグラフを作成できる。図２０は、Ｘ軸に画素濃度を、Ｙ軸に輝度をプロットした輝度特性グラフを示す図である。図２０のＹ軸において最低輝度（ｍｉｎ）から最高輝度（ｍａｘ）までの半分の輝度である「平均１」が矩形輝度パターンの平均輝度を表している。また、Ｘ軸において「ｘ１」が調整後の一定輝度パターン表示部ａ２の画素濃度を表している。
【００１６】
次に、最高輝度と最低輝度を単位面積あたり１対３の割合で構成した矩形輝度パターンを矩形輝度パターン表示部ｂ２に表示して、一定輝度パターン表示部ａ２の調整を行うという上述と同様な操作を行うと、図２１に示すような輝度特性グラフを作成できる。この図２１も、図２０と同様にＸ軸が画素濃度の値を示し、Ｙ軸が輝度の値を示す輝度特性グラフを示す図である。図２１のＹ軸において最低輝度（ｍｉｎ）から最高輝度（ｍａｘ）までの１／３の輝度である「平均２」が矩形輝度パターンの平均輝度を表している。また、Ｘ軸において「ｘ２」が調整後の一定輝度パターン表示部ａ２の画素濃度を表している。
【００１７】
このように平均輝度が異なる複数種類の矩形輝度パターンを、表示装置に表示させて、その都度、その矩形輝度パターンの輝度に等しくなるよう一定輝度パターン表示部ａ２の輝度を調整することで、該表示装置において矩形輝度パターンの輝度に対応する画素濃度を求めることができる。これにより、図２２のような輝度特性グラフを作成することができる。この図２２も、図２０、図２１と同様にＸ軸が画素濃度の値を示し、Ｙ軸が輝度の値を示す輝度特性グラフを示す図である。
【００１８】
【特許文献１】
特開平０７−１６２７１４号公報
【００１９】
【発明が解決しようとする課題】
しかしながら、上述した従来の矩形輝度パターンの平均輝度に等しくなるように一定輝度パターンの輝度を利用者が目視で比較しながら操作する輝度特性の測定方法では、人間の知覚特性に適していないため、精度良く輝度特性を測定できない。ここで、人間の知覚特性について説明すると、人間が、輝度を比較する時、矩形輝度パターン表示部ｂ２の平均輝度と一定輝度パターン表示部ａ２の輝度との輝度差を知覚しながら判断する。この時、双方の輝度差が大きければ２つのパターンの輝度が異なることを容易に知覚できる。しかし、２つのパターンの輝度差が小さくなると知覚が難しくなる。
【００２０】
図２３は、人間の知覚特性を示す図である。例えば、矩形輝度パターンの輝度である「平均１」と同じ輝度になるように一定輝度パターン表示部ａ２を調整した場合について説明する。図２３に示すように、「平均１」に対して±δの範囲を不感帯と記してある。図２３に示す不感帯である（平均１−δ）〜（平均１＋δ）の範囲では、人間は矩形輝度パターンと一定輝度パターンの輝度差を十分に知覚できない。すなわち、図２３に示している画素濃度ｘ１、ｘ２、ｘ３のどれが、矩形輝度パターンの平均輝度に一番近いのか人間の目では区別が困難である。尚、図２３においては、一番平均輝度「平均１」に近い画素濃度は、ｘ２である。
【００２１】
本発明は上記問題点を鑑みてなされたものであり、矩形輝度パターンを用いて表示装置の輝度特性を精度良く測定することができる輝度特性測定装置、輝度特性測定方法、その記録媒体およびそのプログラムを提供することを目的とする。
【００２２】
【課題を解決するための手段】
この発明は、上述した課題を解決すべくなされたもので、本発明による輝度特性測定装置においては、表示装置に画像を表示する際の画像の画素濃度と表示装置の輝度との関係を示す輝度特性を測定する輝度特性測定装置であって、表示装置において最高輝度となる画素濃度と最低輝度となる画素濃度との組み合わせで構成されることで所定の平均輝度を実現する平均輝度パターンと、平均輝度パターンと比較するための一定輝度となる画素濃度から構成される一定輝度パターンとを一組として、平均輝度および／または一定輝度の異なる複数組を含む輝度特性測定画像を生成する輝度特性測定画像生成手段と、輝度特性測定画像生成手段が生成した輝度特性測定画像を基に、複数組の平均輝度パターンと一定輝度パターンを表示装置に表示させると共に、複数の平均輝度パターンの平均輝度および／または複数の一定輝度パターンの一定輝度を利用者が調整可能な調整手段を表示装置に表示させる表示制御手段と、利用者が調整手段により調整後において、複数組における一組である平均輝度パターンの平均輝度の値および一定輝度パターンの一定輝度に応じた画素濃度の値を取得する測定結果取得手段とを具備することを特徴とする。
【００２３】
また、本発明による輝度特性測定方法においては、表示装置に画像を表示する際の画像の画素濃度と表示装置の輝度との関係を示す輝度特性を測定する輝度特性測定装置を用いた輝度特性測定方法であって、表示装置において最高輝度となる画素濃度と最低輝度となる画素濃度との組み合わせで構成されることで所定の平均輝度を実現する平均輝度パターンと、平均輝度パターンと比較するための一定輝度となる画素濃度から構成される一定輝度パターンとを一組として、平均輝度および／または一定輝度の異なる複数組を含む輝度特性測定画像を生成する第１のステップと、第１のステップで生成した輝度特性測定画像を基に、複数組の平均輝度パターンと一定輝度パターンを表示装置に表示させると共に、複数の平均輝度パターンの平均輝度および／または複数の一定輝度パターンの一定輝度を利用者が調整可能な調整手段を表示装置に表示させる第２のステップと、第２のステップで利用者が調整手段により調整後において、複数組における一組である平均輝度パターンの平均輝度の値および一定輝度パターンの一定輝度に応じた画素濃度の値を取得する第３のステップとを有することを特徴とする。
【００２４】
また、本発明による記録媒体は、表示装置に画像を表示する際の画像の画素濃度と表示装置の輝度との関係を示す輝度特性を測定する輝度特性測定装置用のプログラムを記録したコンピュータ読み取り可能な記録媒体であって、表示装置において最高輝度となる画素濃度と最低輝度となる画素濃度との組み合わせで構成されることで所定の平均輝度を実現する平均輝度パターンと、平均輝度パターンと比較するための一定輝度となる画素濃度から構成される一定輝度パターンとを一組として、平均輝度および／または一定輝度の異なる複数組を含む輝度特性測定画像を生成する第１のステップと、第１のステップで生成した輝度特性測定画像を基に、複数組の平均輝度パターンと一定輝度パターンを表示装置に表示させると共に、複数の平均輝度パターンの平均輝度および／または複数の一定輝度パターンの一定輝度を利用者が調整可能な調整手段を表示装置に表示させる第２のステップと、第２のステップで利用者が調整手段により調整後において、複数組における一組である平均輝度パターンの平均輝度の値および一定輝度パターンの一定輝度に応じた画素濃度の値を取得する第３のステップとを輝度特性測定装置のコンピュータに実行させるプログラムを記録したコンピュータ読み取り可能な記録媒体である。
【００２５】
また、本発明によるプログラムにおいては、表示装置に画像を表示する際の画像の画素濃度と表示装置の輝度との関係を示す輝度特性を測定する輝度特性測定装置用のプログラムであって、表示装置において最高輝度となる画素濃度と最低輝度となる画素濃度との組み合わせで構成されることで所定の平均輝度を実現する平均輝度パターンと、平均輝度パターンと比較するための一定輝度となる画素濃度から構成される一定輝度パターンとを一組として、平均輝度および／または一定輝度の異なる複数組を含む輝度特性測定画像を生成する第１のステップと、第１のステップで生成した輝度特性測定画像を基に、複数組の平均輝度パターンと一定輝度パターンを表示装置に表示させると共に、複数の平均輝度パターンの平均輝度および／または複数の一定輝度パターンの一定輝度を利用者が調整可能な調整手段を表示装置に表示させる第２のステップと、第２のステップで利用者が調整手段により調整後において、複数組における一組である平均輝度パターンの平均輝度の値および一定輝度パターンの一定輝度に応じた画素濃度の値を取得する第３のステップとを輝度特性測定装置のコンピュータに実行させるプログラムである。
【００２６】
これにより、本発明の表示装置の輝度特性測定装置、輝度特性測定方法、その記録媒体およびそのプログラムは、例えば矩形の最高輝度と最低輝度との組み合わせで構成されることで所定の平均輝度を実現する平均輝度パターン（矩形輝度パターン）と、平均輝度パターンと比較するための一定輝度となる画素濃度から構成される一定輝度パターンとを一組として、例えば一定輝度の異なる複数組を含む輝度特性測定画像を生成して、生成した輝度特性測定画像を基に、複数組の平均輝度パターンと一定輝度パターンを表示装置に表示させると共に、複数の一定輝度パターンの一定輝度を利用者が調整可能な調整手段を表示装置に表示させ、利用者が調整手段により調整後において、複数の中の測定対象である平均輝度パターンの平均輝度の値および一定輝度パターンの一定輝度に応じた画素濃度の値を取得するので、利用者は、複数の一定輝度パターンと平均輝度パターンを比較して測定対象の一定輝度パターンの一定輝度が平均輝度パターンの平均輝度と等しい輝度になるよう精度よく調整できる。すなわち、平均輝度パターン（矩形輝度パターン）を用いて表示装置の輝度特性を精度良く測定することができる。
【００２７】
【発明の実施の形態】
以下、図面を用いて本発明の実施形態について説明する。
［第１の実施形態］
まず、本発明の第１の実施形態であるディスプレイ（表示装置）の輝度特性を測定する輝度特性測定装置の概略構成について説明する。尚、ここで、輝度特性とは、ディスプレイに表示する画像データの画素濃度の変化に応じて、ディスプレイの輝度が変化する対応関係を示すものである。また、本実施形態における輝度特性測定装置は、矩形の最高輝度と最低輝度を組み合わせて構成された矩形輝度パターンと、輝度を調整可能な一定輝度パターンとをディスプレイに表示することにより、ディスプレイの輝度特性の測定を行う。
【００２８】
図１は、本発明の第１の実施形態に輝度特性測定装置の概略構成を示す図である。図１において、符号Ｍ００は、輝度特性測定装置であり、輝度特性の測定対象であるディスプレイＭ０１と、ディスプレイＭ０１に画像を表示させるために映像信号を出力するコンピュータＭ０２と、コンピュータＭ０２への入力を行うための外部入力装置Ｍ０３とより構成される。
【００２９】
図１に示すように、コンピュータＭ０２には、ディスプレイＭ０１と外部入力装置Ｍ０３が接続されている。ディスプレイＭ０１は、ＣＲＴ（ＣａｔｈｏｄｅＲａｙ  Ｔｕｂｅ）および液晶ディスプレイおよびプラズマディスプレイ等の表示装置であり、コンピュータＭ０２より入力される映像信号に応じた映像を表示する。また、外部入力装置Ｍ０３は、キーボードおよびマウスおよび音声認識インターフェイスおよび視線入力インターフェイス等の入力装置である。また、コンピュータＭ０２は、外部入力装置Ｍ０３からの入力に応じて変化する映像を、ディスプレイＭ０１に表示することで、ＧＵＩ（Ｇｒａｐｈｉｃａｌ  Ｕｓｅｒ  Ｉｎｔｅｒｆａｃｅ）を実現している。
【００３０】
次に、コンピュータＭ０２の機能構成について説明する。
Ｍ０２１は、輝度特性測定画像生成部であり、図２に示すような輝度特性を測定するための矩形輝度パターンｂ１と一定輝度パターンａ１とより構成される輝度表示区画部Ｓ１を含む輝度特性測定画像を生成する。Ｍ０１１は、輝度特性測定部であり、輝度特性測定画像生成部Ｍ０２１が生成した輝度特性測定画像を基に、図１に示すようにディスプレイＭ０１に輝度特性測定画面Ｓを表示する機能（表示手段）を有する。尚、輝度特性測定画面Ｓの詳細については、具体例として図３〜５の輝度特性測定画面Ｓａ〜Ｓｃを示し、種々の表示パターンについて説明する。
【００３１】
また、輝度特性測定部Ｍ０１１は、矩形輝度パターンｂ１の平均輝度と同じ輝度になるように利用者が一定輝度パターンａ１を調整する手段（調整手段）を、ディスプレイＭ０１に表示する機能や、利用者が調整後の一定輝度パターンａ１の画素濃度および矩形輝度パターンｂ１の平均輝度を測定結果として出力する機能（測定結果取得手段）を更に備える。
【００３２】
また、Ｍ０２２は、輝度特性結果記憶部であり、輝度特性測定部Ｍ０１１で測定した輝度特性の測定結果（上述した平均輝度と画素濃度）を格納する。Ｍ０２３は、輝度特性結果集計部であり、輝度特性結果記憶部Ｍ０２２が格納する輝度特性の測定結果を集計する。
【００３３】
以上の構成により、輝度特性測定装置Ｍ００は、ディスプレイＭ０１の輝度特性を測定する。尚、本実施形態における輝度特性測定装置Ｍ００の備えるコンピュータＭ０２のハードウェア構成は、ＣＰＵ及びメモリ等より構成され、一般的なコンピュータのハードウェア構成と同様であり、説明を省略する。
【００３４】
次に、図１に示した輝度特性測定装置Ｍ００における輝度特性の測定フローについて簡単に説明する。まず、輝度特性測定画像生成部Ｍ０２１が矩形輝度パターンと一定輝度パターンを含む輝度特性測定画像を生成する。次に、輝度特性測定部Ｍ０１１は、輝度特性測定画像生成部Ｍ０２１が生成した輝度特性測定画像を基に、輝度特性測定画面ＳをディスプレイＭ０１に表示する。これにより、利用者は、外部入力装置Ｍ０３より一定輝度パターンの輝度が矩形輝度パターンの平均輝度と合うように調整を行う。
【００３５】
この調整後に、輝度特性測定部Ｍ０１１は、輝度特性の測定結果を出力する。この測定結果は輝度特性結果記憶部Ｍ０２２に記憶される。以上の処理を、矩形輝度パターンの平均輝度を変化させて複数回行う。次に、輝度特性結果集計部Ｍ０２３が、輝度特性結果記憶部Ｍ０２２より一連の測定結果を参照して集計を行い、例えば輝度特性グラフなどの輝度特性情報を算出する。以上に示したように、輝度特性測定装置Ｍ００は、ディスプレイＭ０１の輝度特性を測定し、輝度特性情報を出力する。尚、輝度特性測定装置Ｍ００の詳細な動作については、後述する。
【００３６】
次に、図１に示した輝度特性測定画面Ｓの具体例の１つを示し説明する。
図３は、図１に示した輝度特性測定画面Ｓの具体例である輝度特性測定画面Ｓａを示す図である。図３に示すように、輝度特性測定画面Ｓａは、大きく分けて２つの部分から構成される。１つは、輝度表示区画部Ｓ１１、Ｓ１２、Ｓ１３を表示する部分であり、もう１つは、輝度パターン可変部Ｋ１０を表示する部分である。輝度表示区画部Ｓ１１、Ｓ１２、Ｓ１３は、図２にも示した輝度表示区画部Ｓ１と同様に、各々が一定輝度パターン表示部ａ１１、ａ１２、ａ１３と矩形輝度パターン表示部ｂ１１、ｂ１２、ｂ１３より構成されている。また、一定輝度パターン表示部ａ１１、ａ１２、ａ１３と矩形輝度パターン表示部ｂ１１、ｂ１２、ｂ１３は、それぞれ輝度を比較しやすいように隣接して配置されている。
【００３７】
また、輝度表示区画部Ｓ１１、Ｓ１２、Ｓ１３同士は、図３に示すように近接して配置されている。尚、輝度表示区画部Ｓ１１、Ｓ１２、Ｓ１３の配置は、上述した限りではなく、各々が隣接した配置などでもよい。また、図３の一定輝度パターン表示部ａ１１、ａ１２、ａ１３の輝度は、一定輝度パターン表示部ａ１１＜一定輝度パターン表示部ａ１２＜一定輝度パターン表示部ａ１３の大小関係にある。いいかえると、一定輝度パターン表示部ａ１１、ａ１２、ａ１３の画素濃度は、一定輝度パターン表示部ａ１１＜一定輝度パターン表示部ａ１２＜一定輝度パターン表示部ａ１３という大小関係にある。
【００３８】
また、輝度パターン可変部Ｋ１０において利用者が調整つまみＫ９をマウス等により左右に動かすと、一定輝度パターン表示部ａ１１、ａ１２、ａ１３の輝度は、上述した大小関係を保ったまま変化する。すなわち、一定輝度パターン表示部ａ１１、ａ１２、ａ１３の輝度の画素濃度が、上述した大小関係を保ったまま調節される。
【００３９】
また、本実施形態の輝度特性測定画面Ｓａにおいては、輝度パターン可変部Ｋ１０の調節つまみＫ９を１目盛り動かすたびに、それぞれΔだけ一定輝度パターン表示部ａ１１、ａ１２、ａ１３の画素濃度が増減する。たとえば、一定輝度パターン表示部ａ１１、ａ１２、ａ１３の画素濃度がそれぞれｘ１、ｘ２、ｘ３であれば、１目盛り動かすと、ｘ１＋Δ、ｘ２＋Δ、ｘ３＋Δとなる。
【００４０】
尚、本実施形態では輝度パターン可変部Ｋ１０の構成は、調整つまみＫ９を水平方向に移動させるボリュームであるが、この限りではなく、画素濃度を調節できる構成であれば何でもよい。例えば、輝度パターン可変部Ｋ１０は、音声入力インターフェイスを用いて音声により画素濃度を可変する構成でもよい。また、本実施形態においては輝度パターン可変部Ｋ１０の調節は、図１における外部入力装置Ｍ０３によって行われる。また、図３に示す、矩形輝度パターン表示部ｂ１１、ｂ１２、ｂ１３の平均輝度は、すべて同じである。すなわち、矩形輝度パターン表示部ｂ１１、ｂ１２、ｂ１３の全てにおいて、最大輝度と最低輝度の面積比が同じである。
【００４１】
図３の輝度特性測定画面Ｓａにおいては、輝度特性の測定対象は中央に配置されている輝度表示区画部Ｓ１２である。すなわち、利用者は、輝度表示区画部Ｓ１２において、矩形輝度パターン表示部ｂ１２の平均輝度と等しい輝度になるように一定輝度パターン表示部ａ１２の輝度を、輝度パターン可変部Ｋ１０の調整つまみＫ９で調整操作する。そして、輝度特性測定部Ｍ０１１が測定により取得する値は、矩形輝度パターンｂ１２の平均輝度と一定輝度パターンａ１２の輝度が等しくなった状態における調整後の一定輝度パターン表示部ａ１２の画素濃度と、矩形輝度パターンｂ１２の平均輝度である。
【００４２】
ここで、図３に示した輝度特性測定画面Ｓａのように測定対象の輝度表示区画部Ｓ１２を挟んで両側に比較参照用として、輝度表示区画部Ｓ１２より輝度を暗く設定している輝度表示区画部Ｓ１１と、輝度表示区画部Ｓ１２より輝度を明るく設定している輝度表示区画部Ｓ１３を配置すると、測定対象が際立ち、更に、測定対象の矩形輝度パターンに対する輝度関係（より明るいのか暗いのか）を把握しやすいため、調整操作が容易になる。
【００４３】
ここで、容易になる理由を図６、図７を用いて説明する。図６および図７は、図３に示した輝度特性測定画面Ｓａにおける一定輝度パターン表示部ａ１１、ａ１２、ａ１３の関係を示す図である。図６および図７において、縦軸（Ｙ軸）は輝度であり、横軸（Ｘ軸）は画素濃度を示す。説明を簡単にするため図６、７に示すように、ディスプレイＭ０１が輝度「平均１」に対応する画素濃度の近辺で直線Ｌ１に近似される輝度特性を有するとする。また、矩形輝度パターン表示部ｂ１１、ｂ１２、ｂ１３の平均輝度がＹ軸における「平均１」であり、一定輝度パターン表示部ａ１１、ａ１２、ａ１３の画素濃度がそれぞれｘ１、ｘ２、ｘ３であるとする。
【００４４】
輝度と画素濃度が線形に対応しているので画素濃度ｘにおける輝度をＬ１（ｘ）と表記すると、輝度表示区画部Ｓ１１、Ｓ１２、Ｓ１３における平均輝度「平均１」と各一定輝度パターン表示部ａ１１、ａ１２、ａ１３の輝度差ｚ１、ｚ２、ｚ３は、それぞれｚ１＝（Ｌ１（ｘ１）−平均１）、ｚ２＝（Ｌ１（ｘ２）−平均１）、ｚ３＝（Ｌ１（ｘ３）−平均１）で求めることができる。
【００４５】
図６においては、輝度差ｚ１、ｚ２、ｚ３の関係は、ｚ１＜ｚ２＜ｚ３＜０であり、この場合は、中央配置の一定輝度パターン表示部ａ１２の輝度は、矩形パターン表示部ｂ１２の平均輝度より暗いことを容易に判断できる。それは、一番明るい一定輝度パターン表示部ａ１３の輝度が矩形輝度パターン表示部ｂ１３の平均輝度より暗いためである。更に、一番暗い一定輝度パターン表示部ａ１１の輝度が矩形輝度パターン表示部ｂ１１の平均輝度より明らかに暗いことも容易な判断の一因となる。
【００４６】
次に図６の状態から、輝度パターン可変部Ｋ１０の調整つまみＫ９を利用者が操作することで、一定輝度パターン表示部ａ１１、ａ１２、ａ１３の画素濃度ｘ１、ｘ２、ｘ３が図７の状態になったとする。この場合、図７から明らかなように、輝度差ｚ１、ｚ２、ｚ３の関係は、ｚ１＜ｚ２＜０＜ｚ３であり、一定輝度パターン表示部ａ１２の輝度が、矩形パターン表示部の平均輝度「平均１」に近づいたことを利用者が認識できる。これは、輝度が矩形輝度パターン表示部ｂ１１、ｂ１２、ｂ１３の平均輝度より暗い一定輝度パターン表示部ａ１１と、明るい一定輝度パターン表示部ａ１３を併せ持つからである。
【００４７】
このように、画素濃度の異なる比較参照用の輝度表示区画部Ｓ１１およびＳ１３を測定対象の輝度表示区画部Ｓ１２の近接する位置に配置して表示すると、従来の測定対象の輝度表示区画部のみ表示する場合と比較して、容易に一定輝度パターン表示部ａ１２の輝度が矩形輝度パターンｂ１２の平均輝度に近づいたことを利用者が認識することができる。すなわち、利用者は、一定輝度パターン表示部ａ１２の輝度を矩形輝度パターンｂ１２の平均輝度に近づける操作を容易に行うことができるという効果を得ることができる。尚、上述した効果を得るには、一定輝度パターン表示部ａ１１、ａ１２、ａ１３の各画素濃度ｘ１、ｘ２、ｘ３の間隔が人間にとって輝度差を認識できる程度の間隔であることが好ましい。
【００４８】
次に、一定輝度パターン表示部ａ１２の輝度が、矩形輝度パターン表示部ｂ１２の平均輝度に十分近づいた場合の輝度の調整方法について説明する。図２３で示したように、人間の輝度の知覚特性における不感帯が存在するので、より平均輝度に近づけるよう調整することは困難になる。ここで不感帯は、人間の輝度差に関する分解能とも考えることができる。すなわち、人間は、輝度差の絶対値が閾値δ以下になると、輝度差を知覚できなくなる。よって、従来のように図２３に示した画素濃度ｘ１、ｘ２、ｘ３の一定輝度パターンを一つだけ表示する方法ではどの画素濃度の一定輝度パターンの輝度が最も矩形輝度パターンの平均輝度「平均１」に近いのかを判断できないという問題がある。しかし、本実施形態においては、一定輝度パターンを複数表示することで上述した問題を解決して、人間の分解能以上の調整を実現している。以下、その理由について図を用いて説明する。
【００４９】
図８および図９は、図３に示した輝度特性測定画面Ｓａにおける一定輝度パターン表示部ａ１１、ａ１２、ａ１３の関係を示す図である。図８および図９において、縦軸（Ｙ軸）は輝度であり、横軸（Ｘ軸）は画素濃度を示す。説明を簡単にするため図８、９に示すように、ディスプレイＭ０１が輝度「平均１」に対応する画素濃度の近辺で直線Ｌ１に近似される輝度特性を有するとする。また、矩形輝度パターン表示部ｂ１１、ｂ１２、ｂ１３の平均輝度がＹ軸における「平均１」であり、一定輝度パターン表示部ａ１１、ａ１２、ａ１３の画素濃度がそれぞれｘ１、ｘ２、ｘ３であるとする。また、平均１を中心とする±δの範囲の不感帯も図８、９に示してある。
【００５０】
図８において、画素濃度ｘ１、ｘ２、ｘ３の関係は、ｘ１＝ｘ２−Δｘ、ｘ３＝ｘ２＋Δｘであるとする。すなわち、Δｘが十分小さければ、ｘ２付近で輝度特性Ｌ１は線形特性として近似可能である。また、図８に示すように輝度表示区画部Ｓ１１、Ｓ１２、Ｓ１３における、それぞれの矩形輝度パターン表示部ｂ１１、ｂ１２、ｂ１３の平均輝度（＝平均１）と一定輝度パターン表示部ａ１１、ａ１２、ａ１３の輝度との輝度差（以下、単に輝度差とする）は、ｚ１、ｚ２、ｚ３となる。
【００５１】
これらの輝度差ｚ１、ｚ２、ｚ３の関係は、図８から明らかなようにｚ１＜ｚ２＜０＜ｚ３である。しかし、利用者の目にはｚ２とｚ３は、不感帯内にあるため、一定輝度パターン表示部ａ１２とａ１３のどちらが平均１の輝度に近いのか（＝ｚ２とｚ３のどちらの絶対値が小さいのか）判断できない。具体的には、図３に示した輝度特性測定画面Ｓａにおける輝度差に関する利用者の知覚は、輝度表示区画部Ｓ１１、Ｓ１２、Ｓ１３の順番に（矩形輝度パターンの方が明るい）、（輝度差がほとんど無い。矩形輝度パターンの方が若干明るい）、（輝度差がほとんど無い。矩形輝度パターンの方が若干暗い）となる。この時、利用者は、輝度表示区画部Ｓ１２、Ｓ１３のどちらが輝度差の小さい方かは分からないが、輝度表示区画部Ｓ１１の輝度差が大きいことより、輝度表示区画部Ｓ１１、Ｓ１２、Ｓ１３における一定輝度パターン分布ａ１１、ａ１２、ａ１３の輝度分布が平均１に対して偏りがある（暗い方に偏っている）ことが分かる。
【００５２】
そこで、利用者がこの偏りを修正した場合が、図９に示す一定輝度パターン分布ａ１１、ａ１２、ａ１３の輝度分布である。ここで、偏りがない場合とは、例えば利用者が、輝度表示区画部Ｓ１１、Ｓ１２、Ｓ１３の順番に（矩形輝度パターンの方が明るい）、（輝度差はほとんど無い）、（矩形輝度パターンの方が暗い）と知覚する状態である。すなわち、図９に示すように、一定輝度パターン分布ａ１１と矩形輝度パターン表示部ｂ１１の輝度差ｚ１の絶対値および一定輝度パターン分布ａ１３と矩形輝度パターン表示部ｂ１３の輝度差ｚ３の絶対値が不感帯δ以上となっている状態である。この時、図９に示すように、必然的に矩形輝度パターン表示部ｂ１２の平均輝度と一定輝度パターン表示部ａ１２の輝度がほぼ等しくなる。以上に説明したように、利用者が輝度分布の偏りを修正することで、図９に示すように、矩形輝度パターン表示部ｂ１１、ｂ１２、ｂ１３の平均輝度と一定輝度パターン表示部ａ１２の輝度がほぼ等しくなるように輝度の調整を行うことができる。この時、画素濃度ｘ１、ｘ２、ｘ３の関係は、ｘ１＝ｘ２−Δｘ、ｘ３＝ｘ２＋Δｘである時に、Δｘの値は、画素濃度がΔｘ変化することによる輝度の変化量が不感帯δを少し超える程度に調整する。
【００５３】
また、図９においては、Δｘの値は、画素濃度がΔｘ変化することによる輝度の変化量が不感帯δを少し超える場合について説明したが、この限りではなく、Δｘの値は、画素濃度がΔｘ変化することによる輝度の変化量が不感帯δ以下の値であってもよい。この場合に利用者が輝度分布の偏りがないように調整すると、利用者にとって、輝度表示区画部Ｓ１１、Ｓ１２、Ｓ１３の順番に（輝度差は、ほとんど無い）、（輝度差は、ほとんど無い）、（輝度差は、ほとんど無い）と知覚する状態となる。この時、輝度差ｚ１およびｚ３が不感帯に収まっているということは、必然的に矩形輝度パターン表示部ｂ１２の平均輝度と一定輝度パターン表示部ａ１２の輝度がほぼ等しくなっている。但し、画素濃度がΔｘ変化することによる輝度の変化量が不感帯δにより近くなることが好ましい。
【００５４】
以上に示したように、本実施形態の輝度特性測定装置Ｍ００は、比較参照用の輝度表示区画部が存在するため、利用者は不感帯の影響を抑えて輝度調整を行うことができ、精度の良い輝度特性を測定できる。
尚、上述した実施形態においては、輝度特性測定装置Ｍ００は、輝度特性測定画面Ｓａに輝度表示区画部を３種類表示しているが、この限りではなく、比較しやすいように、より多くの種類の輝度表示区画部を表示してもよい。
【００５５】
次に、図１に示した輝度特性測定装置Ｍ００における輝度特性の測定動作について説明する。
本実施形態においては、輝度特性測定画像生成部Ｍ０２１が３種類の矩形輝度パターンｂ（＝図３の矩形輝度パターン表示部ｂ１１、ｂ１２、ｂ１３の矩形輝度パターンとする）を生成する場合の輝度特性測定装置Ｍ００の動作について説明する。尚、３種類の矩形輝度パターンｂとは、表示装置の最高輝度と最低輝度をそれぞれｍａｘ，ｍｉｎとすると、矩形輝度パターンｂ１の平均輝度が、（１）（ｍｉｎ＋ｍａｘ）／４，（２）（ｍｉｎ＋ｍａｘ）／２，（３）３（ｍｉｎ＋ｍａｘ）／４となる３パターンである。これらの矩形輝度パターンｂは、輝度特性測定画像生成部Ｍ０２１が、最高輝度と最低輝度を単位面積あたり（１）１対３、（２）１対１、（３）３対１となる割合で構成して生成する。尚、以下の説明において上述した３パターンを各々矩形輝度パターンｂ（１）、ｂ（２）、ｂ（３）とする。
【００５６】
図１０は、図１に示した輝度特性測定装置Ｍ００における輝度特性の測定動作を示す図である。上述した矩形輝度パターンｂ（１）、ｂ（２）、ｂ（３）について測定を行うと、輝度特性測定装置Ｍ００は、図１１のような集計結果を得る。図１１は、図１に示した輝度特性測定装置Ｍ００における輝度特性の測定結果例を示す図である。図１１において平均１，平均２，平均３が、それぞれ矩形輝度パターンｂ（１）、ｂ（２）、ｂ（３）に対応する。また、画素濃度＝０は最低輝度（ｍｉｎ）に、画素濃度＝１は最高輝度（ｍａｘ）であり、これら２点に関して測定する必要はない。このように、ディスプレイＭ０１の輝度特性は、図１１に示すような測定点を滑らかに結ぶ曲線や折れ線近似として算出されることになる。
【００５７】
以下、図１０および図１１を用いて輝度特性測定装置Ｍ００における輝度特性の測定動作について説明する。尚、図１０に示すように輝度特性測定画像生成部Ｍ０２１は、最高輝度と最低輝度を単位面積あたりＮ対Ｍとなる割合で構成した矩形輝度パターンを生成する。このＮ対Ｍは、上述したように（１）１対３、（２）２対２（＝１対１）、（３）３対１と変化する変数である。
【００５８】
まず、ステップＦ１０において、輝度特性測定装置Ｍ００のコンピュータＭ０２は、ディスプレイＭ０１の輝度特性の測定を開始する。次に、ステップＦ１１において、輝度特性測定画像生成部Ｍ０２１は、初期値としてＮ＝０、Ｍ＝４を設定する。次に、ステップＦ１２において、輝度特性測定画像生成部Ｍ０２１は、Ｎ＝Ｎ＋１、Ｍ＝Ｍ−１を実行する。すなわち、Ｎ＝１、Ｍ＝３（（１）１対３）となる。
【００５９】
次に、輝度特性測定画像生成部Ｍ０２１は、最高輝度と最低輝度を単位面積あたり１対３の割合で構成された矩形輝度バターンｂ（１）を生成する。また、輝度特性測定画像生成部Ｍ０２１は、生成した矩形輝度バターンｂ（１）と一定輝度パターンａ１１、ａ１２、ａ１３を組み合わせた輝度表示区画部Ｓ１１、Ｓ１２、Ｓ１３を含む輝度特性測定画像を生成する（ステップＦ１３）。
【００６０】
次に、輝度特性測定部Ｍ０１１は、輝度特性測定画像生成部Ｍ０２１が生成した輝度特性測定画像を基に、最高輝度と最小輝度がＮ対Ｍの割合で構成された矩形輝度パターンｂ（１）を含む図３に示したような輝度特性測定画面ＳａをディスプレイＭ０１に表示する。これにより、矩形輝度パターンｂ（１）の平均輝度（平均１）と同じ輝度になるように利用者が一定輝度パターンａ１２の輝度を調整つまみＫ９で調整する。そして利用者が調整後の一定輝度パターンａ１２の画素濃度および矩形輝度パターンｂ（１）の平均輝度（平均１）を測定結果として出力する。この測定結果を、輝度特性結果記憶部Ｍ０２２が格納する。（ステップＦ１４）。
【００６１】
次に、コンピュータＭ０２は、Ｎ＝３であるか否かを判定する（ステップＦ１５）。ここで、Ｎ＝３でないと判定した場合（ステップＦ１５のＮｏ）には、ステップＦ１２に戻り、輝度特性測定画像生成部Ｍ０２１は、Ｎ＝Ｎ＋１、Ｍ＝Ｍ−１を実行する。また、Ｎ＝３であると判定した場合（ステップＦ１５のＹｅｓ）には、コンピュータＭ０２は、輝度特性の測定処理を終了する。以上により、図１１に示す３つの測定点となる測定結果を輝度特性結果記憶部Ｍ０２２に格納する。また、これにより、輝度特性結果集計部Ｍ０２３は、輝度特性結果記憶部Ｍ０２２が格納する輝度特性の測定結果として３つの測定点に関する情報を読み出し、図１１に示すようなグラフを生成する。
【００６２】
尚、上述した本実施形態では、輝度特性測定画像生成部Ｍ０２１は、矩形輝度パターンを３種類しか生成しなかった（＝測定点が３点であった）が、この限りではなく、より多くの種類の矩形輝度パターンを生成しても構わない。輝度特性測定画像生成部Ｍ０２１が多くの矩形輝度パターンを生成して測定点を増やすと、詳細で正確な輝度特性のグラフを得ることができる。
【００６３】
また、逆に、輝度特性測定画像生成部Ｍ０２１が生成する矩形輝度パターンは１つでも構わない。特に、輝度特性の傾向が安定している多くの表示装置の場合は、測定点が１つで十分である。この理由は、例えばＣＲＴが長い期間使用されてきてため過去に蓄積したデータより１点の測定点から高い精度で輝度特性を推定できるためである。特に、印刷業界など多くの業界は、ＣＲＴを基準として様々な技術資産を蓄積している。また、現在ではプラズマ表示装置や液晶表示装置などＣＲＴ以外の表示装置が存在するが、過去の技術資産を生かすためにＣＲＴに似せた輝度特性で出荷されることが多い。上述したように、ＣＲＴの場合は、輝度をｙ、画素濃度をｘ、ガンマ定数をγとすると、
ｙ  ＝  ｘγ
で近似されることが多い。この式と測定結果を基に、ガンマ定数が決定すれば輝度特性を確定するので、測定点は１つでよい。以上が、矩形生成パターンが１つ（＝測定点が１つ）で十分である理由である。
【００６４】
更に、本実施形態では、図３において、一定輝度パターン表示部ａ１１、ａ１２、ａ１３の輝度を可変させることにより測定したが、矩形輝度パターン表示部ｂ１１、ｂ１２、ｂ１３の平均輝度を可変させる方法であっても構わない。更に、本実施形態では、一定輝度パターン表示部ａ１１、ａ１２、ａ１３の画素濃度ｘ１、ｘ２、ｘ３の関係は一定だったが、次のように２段階切り替えしてもよい。たとえばその切り替えは、一定輝度パターン表示部ａ１２の輝度が、矩形輝度パターン表示部の平均輝度に十分近づいた場合に行う。
【００６５】
具体的には、Δｘ１１＞０、Δｘ１３＞０となる変数Δｘ１１とΔｘ１３を用いて
ｘ１＝ｘ２−Δｘ１１、ｘ３＝ｘ２＋Δｘ１３  …  （式１）
と定義し、次に、Δｘ１１＞Δｘ１１０＞０、Δｘ１３＞Δｘ１３０＞０となる変数Δｘ１１０とΔｘ１３０を用いて
ｘ１＝ｘ２−Δｘ１１０、ｘ３＝ｘ２＋Δｘ１３０  …  （式２）
と定義する場合に、（式１）と（式２）を切り替えて輝度特性を測定する。すなわち、まず、（式１）を用いて求めた画素濃度ｘ１、ｘ３に応じた一定輝度パターンａ１１、ａ１３に挟まれた一定輝度パターン表示部ａ１２の輝度を、矩形輝度パターン表示部ｂ１２の平均輝度に等しくなるように、大雑把に調整操作する。次に、（式２）を用いて求めた画素濃度ｘ１、ｘ３に応じた一定輝度パターンａ１１、ａ１３に挟まれた一定輝度パターン表示部ａ１２の輝度を、矩形輝度パターン表示部ｂ１２の平均輝度に等しくなるよう微調整操作する。この方法ならば、最初から（式２）を用いて調整操作する方法よりも短時間で調整操作可能になる。
【００６６】
［第２の実施形態］
次に、本発明の第２の実施形態である輝度特性測定装置について説明する。
第２の実施形態における輝度特性測定装置の概略構成は、図１に示した第１の実施形態である輝度特性装置Ｍ００と同様であるので説明を省略する。本実施形態において第１の実施形態と異なる点は、輝度特性測定画像生成部Ｍ０２１が、３種類の矩形輝度パターンを含む輝度特性測定画面Ｓｂを生成する点と、輝度特性測定部Ｍ０１１が、利用者により矩形輝度パターンの平均輝度を調整する手段をディスプレイＭ０１に表示する点である。尚、第１の実施形態においては、輝度特性測定画像生成部Ｍ０２１は輝度特性測定画面Ｓａを生成し、輝度特性測定部Ｍ０１１は利用者が一定輝度パターンを調整する手段をディスプレイＭ０１に表示していた。
【００６７】
図４は、第２の実施形態として図１に示した輝度特性測定画面Ｓの具体例である輝度特性測定画面Ｓｂを示す図である。図３に示すように、輝度特性測定画面Ｓｂは、大きく分けて２つの部分から構成される。１つは、輝度表示区画部Ｓ２１、Ｓ２２、Ｓ２３を表示する部分であり、もう１つは、輝度パターン可変部Ｋ２０を表示する部分である。また、輝度表示区画部Ｓ２１、Ｓ２２、Ｓ２３は、図２にも示した輝度表示区画部Ｓ１と同様に、各々が一定輝度パターン表示部ａ２１、ａ２２、ａ２３と矩形輝度パターン表示部ｂ２１、ｂ２２、ｂ２３より構成されている。また、一定輝度パターン表示部ａ２１、ａ２２、ａ２３と矩形輝度パターン表示部ｂ２１、ｂ２２、ｂ２３は、それぞれ輝度を比較しやすいように隣接して配置されている。
【００６８】
また、輝度表示区画部Ｓ２１、Ｓ２２、Ｓ２３同士は、図４に示すように近接して配置されている。尚、輝度表示区画部Ｓ１１、Ｓ１２、Ｓ１３の配置は、上述した限りではなく、各々が隣接した配置などでもよい。また、図４の矩形輝度パターン表示部ｂ２１、ｂ２２、ｂ２３の平均輝度は、矩形輝度パターン表示部ｂ２１＜矩形輝度パターン表示部ｂ２２＜矩形輝度パターン表示部ｂ２３なる大小関係にある。
【００６９】
また、輝度パターン可変部Ｋ２０おいて利用者が調整つまみＫ１９をマウス等により左右に動かすと、矩形輝度パターン表示部ｂ２１、ｂ２２、ｂ２３の輝度は、上述した大小関係を保ったまま変化する。また、図４の一定輝度パターン表示部ａ２１、ａ２２、ａ２３の輝度は全て同じである。尚、本実施形態では輝度パターン可変部Ｋ２０の構成は、調整つまみＫ１９を水平方向に移動させるボリュームであるが、この限りではなく、画素濃度を調節できる構成であれば何でもよい。例えば、輝度パターン可変部Ｋ２０は、音声入力インターフェイスを用いて音声により画素濃度を可変する構成でもよい。
【００７０】
本実施形態の輝度特性測定画面Ｓｂにおいては、測定対象は中央配置されている輝度表示区画部Ｓ２２である。すなわち、利用者は、輝度表示区画部Ｓ２２において、一定輝度パターン表示部ａ２２の輝度と等しい平均輝度になるように矩形輝度パターン表示部ｂ２２の輝度を、輝度パターン可変部Ｋ２０の調整つまみＫ１９で調整操作する。そして、輝度特性測定部Ｍ０１１が測定により取得する値は、矩形輝度パターンｂ２２の平均輝度と一定輝度パターンａ２２の輝度が等しくなった状態における、調整後の一定輝度パターン表示部ａ２２の画素濃度および矩形輝度パターンｂ２２の平均輝度である。
【００７１】
ここで、図４に示した輝度特性測定画面Ｓｂのように測定対象の輝度表示区画部Ｓ２２を挟んで両側に比較参照用として、輝度表示区画部Ｓ２２より矩形輝度パターンの平均輝度を暗く設定している輝度表示区画部Ｓ２１と、輝度表示区画部Ｓ２２より矩形輝度パターンの平均輝度を明るく設定している輝度表示区画部Ｓ２３を配置すると、測定対象が際立ち、更に、測定対象の一定輝度パターンに対する輝度関係（より明るいのか暗いのか）を把握しやすいため、調整操作が容易になる。
【００７２】
ここで、容易になる理由を図１２、図１３を用いて説明する。図１２および図１３は、図４に示した輝度特性測定画面Ｓｂにおける矩形輝度パターン表示部ｂ２１、ｂ２２、ｂ２３の関係を示す図である。図１２および図１３において、縦軸（Ｙ軸）は輝度であり、横軸（Ｘ軸）は画素濃度を示す。また、矩形輝度パターン表示部ｂ２１、ｂ２２、ｂ２３の平均輝度がＹ軸におけるｙ１、ｙ２、ｙ３であり、一定輝度パターン表示部ａ２１、ａ２２、ａ２３の画素濃度がｘ０であるとする。更に、画素濃度ｘ０に対応する一定輝度パターン表示部ａ２１、ａ２２、ａ２３の輝度がｙ０である。
【００７３】
ここで、輝度表示区画部Ｓ２１、Ｓ２２、Ｓ２３における矩形輝度パターン表示部ｂ２１、ｂ２２、ｂ２３の平均輝度ｙ１、ｙ２、ｙ３と一定輝度パターン表示部ａ２１、ａ２２、ａ２３の輝度ｙ０との差である輝度差ｚ１〜ｚ３は、それぞれｚ１＝（ｙ１−ｙ０）、ｚ２＝（ｙ２−ｙ０）、ｚ３＝（ｙ３−ｙ０）で求めることができる。
図１２においては、この輝度差ｚ１、ｚ２、ｚ３の関係は、ｚ１＜ｚ２＜ｚ３＜０であり、この場合は、中央配置の矩形輝度パターン表示部ｂ２２の平均輝度ｙ２は、一定輝度パターン表示部ａ２２の輝度ｙ０より暗いことを容易に判断できる。一番明るい矩形輝度パターン部ｂ２３の平均輝度が一定輝度パターン表示部ａ２３の輝度ｙ０より暗いためである。
【００７４】
次に、図１２の状態から、輝度パターン可変部Ｋ２０の調整つまみＫ１９を利用者が操作することで、矩形輝度パターン表示部ｂ２１、ｂ２２、ｂ２３の平均輝度ｙ１、ｙ２、ｙ３が図１３の状態になったとする。この場合、図１３から明らかなように、輝度差ｚ１、ｚ２、ｚ３の関係は、ｚ１＜ｚ２＜０＜ｚ３であり、矩形輝度パターン表示部ｂ２２の平均輝度ｙ２が一定輝度パターン表示部ａ２２の輝度ｙ０に近づいたことを利用者が認識できる。これは、輝度特性測定画面Ｓｂが、一定輝度パターン表示部の輝度ｙ０より暗い矩形輝度パターン表示部ｂ２１と、一定輝度パターン表示部の輝度ｙ０より明るい矩形輝度パターン表示部ｂ２３と、測定対象となる矩形輝度パターン表示部ｂ２２とを併せ持つからである。
【００７５】
このように、画素濃度の異なる比較参照用の輝度表示区画部Ｓ２１およびＳ２３を測定対象の輝度表示区画部Ｓ１２の近接する位置に配置して表示すると、従来の測定対象の輝度表示区画部のみ表示する場合と比較して、容易に矩形輝度パターンｂ２２の平均輝度が、一定輝度パターン表示部ａ２２の輝度に近づいたことを利用者が認識することができる。すなわち、利用者は、一定輝度パターン表示部ａ１２の輝度を矩形輝度パターンｂ１２の平均輝度に近づける操作を容易に行うことができるという効果を得ることができる。
【００７６】
さらに、第１の実施形態で説明したように、輝度表示区画部Ｓ２１、Ｓ２２、Ｓ２３に関する一定輝度パターン表示部ａ２１、ａ２２、ａ２３と矩形輝度パターン表示部ｂ２１、ｂ２２、ｂ２３との輝度差ｚ１、ｚ２、ｚ３に偏りがないように輝度パターン可変部Ｋ２０を調整操作すれば、人間の知覚における不感帯の影響を防いで、精度の良い輝度特性を測定できる。
【００７７】
尚、上述した実施形態では、輝度パターン可変部Ｋ２０の調整により矩形輝度パターン表示部ｂ２１、ｂ２２、ｂ２３の平均輝度を変化させたが、この限りではない。例えば、輝度パターン可変部をもう１つ別に配置して、一定輝度パターン表示部ａ２１、ａ２２、ａ２３の輝度を変化できるようにしてもよい。これにより、矩形輝度パターン表示部ｂ２１、ｂ２２、ｂ２３の平均輝度を可変するだけでは、調整操作が困難な場合に、一定輝度パターン表示部ａ２１、ａ２２、ａ２３の輝度を微調整して、調整をより容易にすることができる。また、本実施形態では、図４に示す矩形輝度パターン表示部ｂ２１、ｂ２２、ｂ２３の平均輝度を可変させることにより輝度特性を測定したが、この限りではなく、一定輝度パターン表示部ａ２１、ａ２２、ａ２３の輝度を可変させて輝度特性を測定する方法であっても構わない。
【００７８】
［第３の実施形態］
次に、本発明の第３の実施形態である輝度特性測定装置について説明する。
第３の実施形態における輝度特性測定装置の概略構成は、図１に示した第１の実施形態である輝度特性装置Ｍ００と同様であるので説明を省略する。本実施形態において第１の実施形態と異なる点は、輝度特性測定画像生成部Ｍ０２１が、５種類の一定輝度パターンを含む輝度特性測定画面Ｓｃを生成する点と、輝度特性測定部Ｍ０１１が、利用者により輝度を調整する手段をディスプレイＭ０１に表示しない点である。尚、第１の実施形態においては、輝度特性測定画像生成部Ｍ０２１は１種類の矩形輝度パターンを含む輝度特性測定画面Ｓａを生成し、輝度特性測定部Ｍ０１１は利用者が一定輝度パターンを調整する手段をディスプレイＭ０１に表示していた。
【００７９】
図５は、第３の実施形態として図１に示した輝度特性測定画面Ｓの具体例である輝度特性測定画面Ｓｃを示す図である。図５に示すように、輝度特性測定画面Ｓｃは、一定輝度パターン表示部ａ３１、ａ３２、ａ３３、ａ３４、ａ３５（以下、一定輝度パターン表示部ａ３とする）と矩形輝度パターン表示部ｂ３１、ｂ３２、ｂ３３、ｂ３４、ｂ３５（以下、矩形輝度パターン表示部ｂ３とする）とから構成される輝度表示区画部Ｓ３１、Ｓ３２、Ｓ３３、Ｓ３４、Ｓ３５と、各一定輝度パターン表示部ａ３の輝度に対応したガンマ定数を表示するガンマ定数表示部ｃ３１とで構成されている。
【００８０】
また、輝度表示区画部Ｓ３１、Ｓ３２、Ｓ３３、Ｓ３４、Ｓ３５同士は、図５に示すように隣接して配置されている。尚、輝度表示区画部Ｓ３１、Ｓ３２、Ｓ３３、Ｓ３４、Ｓ３５の配置は、上述した限りではなく、各々が近接した配置などでもよい。また、ガンマ定数表示部ｃ３１には、輝度表示区画部Ｓ３１、Ｓ３２、Ｓ３３、Ｓ３４、Ｓ３５の各々に対応してガンマ定数が表示される。具体的には、図５に示すように、輝度表示区画部Ｓ３１、Ｓ３２、Ｓ３３、Ｓ３４、Ｓ３５に対応してガンマ定数２．２、２．３、２．４、２．５、２．６が配置されている。
【００８１】
また、図５から明らかなように、矩形輝度パターン表示部ｂ３の平均輝度は、すべて同じ値である。また、一定輝度パターン表示部ａ３の輝度は、一定輝度パターン表示部ａ３１＜一定輝度パターン表示部ａ３２＜一定輝度パターン表示部ａ３３＜一定輝度パターン表示部ａ３４＜一定輝度パターン表示部ａ３５という大小関係にある。言い換えると、一定輝度パターン表示部ａ３の画素濃度は、一定輝度パターン表示部ａ３１＜一定輝度パターン表示部ａ３２＜一定輝度パターン表示部ａ３３＜一定輝度パターン表示部ａ３４＜一定輝度パターン表示部ａ３５という大小関係にある。
【００８２】
また、一定輝度パターン表示部ａ３の画素濃度は、ガンマ定数表示部ｃ３１のガンマ定数と関係があり、矩形輝度パターン表示部の平均輝度をｙ１、比例定数をａ、画素濃度をｘ、ガンマ定数をγとすると、
ｙ１  ＝  ａ×ｘγ  …  （式３）
の関係がある。すなわち、ガンマ定数γが決定すれば、上述した（式３）より輝度特性が決定する。そして矩形輝度パターン表示部ｂ３の平均輝度が決定すると、対応する画素濃度が決定される。
【００８３】
図１４は、上述した（式３）の関係例を示す図である。図１４において、縦軸は輝度（最低輝度（ｍｉｎ）〜最高輝度（ｍａｘ））であり、横軸は画素濃度（０〜１）を示す。また、図１４に示す曲線Ｌ１、Ｌ２、Ｌ３は、ガンマ定数γの値がそれぞれ異なる輝度特性である。図１４に示すように輝度特性と矩形輝度パターン表示部ｂ３の平均輝度ｙ０が決定すると、各曲線Ｌ１、Ｌ２、Ｌ３に対応する画素濃度はそれぞれｘ１、ｘ２、ｘ３と一意的に求めることができる。
【００８４】
また、輝度特性は、図５の輝度表示区画部Ｓ３１、Ｓ３２、Ｓ３３、Ｓ３４、Ｓ３５における一定輝度パターン表示部ａ３の輝度と矩形輝度パターン表示部ｂ３の平均輝度との輝度差ｚ１、ｚ２、ｚ３、ｚ４、ｚ５の絶対値が一番小さい輝度表示区画部を選択することで行われる。図５において輝度表示区画部Ｓ３４の輝度差ｚ４の絶対値が一番小さいと判断したならば、ディスプレイＭ０１の輝度特性は、ガンマ定数γ＝２．５で決定されるガンマ特性となる。
【００８５】
図５に示すように、一定輝度パターン表示部ａ３が左から段階的に明るくなるように配置されていれば、矩形輝度パターン表示部ｂ３との輝度差の絶対値は、下に凸である関数となる。具体的には、利用者が輝度差として感じる知覚は、輝度表示区画部Ｓ３１、Ｓ３２、Ｓ３３、Ｓ３４、Ｓ３５が並んでいる順に、（矩形輝度パターンの方が明るい）、（矩形輝度パターンの方が明るい）、（輝度差はほとんど無い。矩形輝度パターンの方が若干明るい）、（輝度差はほとんど無い。矩形輝度パターンの方が若干暗い）、（矩形輝度パターンの方が暗い）となる。このような場合、人間は比較対象が多数存在するため、輝度差が一番小さい輝度表示区画部を容易に見つけることができる。
【００８６】
また、図１のコンピュータＭ０２内に示した各処理部は、専用のハードウェアにより実現されるものであってもよく、また、各処理部はメモリおよびＣＰＵにより構成され、各処理部の機能を実現する為のプログラムをメモリに読み込んで実行することによりその機能を実現させるものであってもよい。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ  Ａｃｃｅｓｓ  Ｍｅｍｏｒｙ）のような揮発性のメモリ、あるいはこれらの組み合わせによるコンピュータ読み取り、書き込み可能な記録媒体より構成されるものとする。
【００８７】
また、上述した実施形態における輝度特性測定装置Ｍ００は、１つのディスプレイＭ０１を含む構成であったが、この限りではなく、複数のディスプレイを含む構成であってもよく、１つのディスプレイも含まずに外部のディスプレイに接続する構成であってもよい。また、上述した実施形態における輝度特性測定装置Ｍ００は、矩形の最高輝度および最低輝度で構成された矩形輝度パターンを用いているが、それら各々の矩形の大きさは任意の大きさでよく、好ましくは、利用者が見た時に平均輝度が把握しやすい大きさが好適である。また、最高輝度および最低輝度で構成される輝度パターンの組み合わせる元の形は、上述した矩形に限らず、三角形や多角形などであってもよい。
【００８８】
また、図１のコンピュータＭ０２において各種処理を行う処理部の機能を実現する為のプログラムをコンピュータ読み取り可能な記録媒体に記録して、この記録媒体に記録されたプログラムをコンピュータシステムに読み込ませ、実行することにより各処理を行っても良い。なお、ここでいう「コンピュータシステム」とは、ＯＳや周辺機器等のハードウェアを含むものとする。
【００８９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発メモリ（ＲＡＭ）のように、一定時間プログラムを保持しているものも含むものとする。
【００９０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現する為のものであっても良い。さらに、前述した機能をコンピュータシステムに既に記録されているプログラムとの組み合わせで実現できるもの、いわゆる差分ファイル（差分プログラム）であっても良い。
【００９１】
また、上記のプログラムを記録したコンピュータ読み取り可能な記録媒体等のプログラムプロダクトも本発明の実施形態として適用することができる。上記のプログラム、記録媒体、伝送媒体およびプログラムプロダクトは、本発明の範疇に含まれる。
以上、この発明の実施形態について図面を参照して詳述してきたが、具体的な構成はこの実施形態に限られるものではなく、この発明の要旨を逸脱しない範囲の設計等も含まれる。
【００９２】
また、本発明の実施態様の例を以下に列挙する。
【００９３】
［実施態様１］  表示装置に画像を表示する際の前記画像の画素濃度と前記表示装置の輝度との関係を示す輝度特性を測定する輝度特性測定装置であって、
前記表示装置において最高輝度となる画素濃度と最低輝度となる画素濃度との組み合わせで構成されることで所定の平均輝度を実現する平均輝度パターンと、前記平均輝度パターンと比較するための一定輝度となる画素濃度から構成される一定輝度パターンとを一組として、前記平均輝度および／または前記一定輝度の異なる複数組を含む輝度特性測定画像を生成する輝度特性測定画像生成手段と、
前記輝度特性測定画像生成手段が生成した前記輝度特性測定画像を基に、前記複数組の前記平均輝度パターンと前記一定輝度パターンを前記表示装置に表示させると共に、複数の前記平均輝度パターンの平均輝度および／または複数の前記一定輝度パターンの一定輝度を利用者が調整可能な調整手段を前記表示装置に表示させる表示制御手段と、
前記利用者が前記調整手段により調整後において、前記複数組における一組である前記平均輝度パターンの平均輝度の値および前記一定輝度パターンの一定輝度に応じた画素濃度の値を取得する測定結果取得手段と
を具備することを特徴とする輝度特性測定装置。
【００９４】
［実施態様２］  前記測定結果取得手段が取得した前記平均輝度パターンの前記平均輝度の値および前記一定輝度パターンの輝度に応じた前記画素濃度の値を格納する輝度特性結果記憶手段を更に具備することを特徴とする実施態様１に記載の輝度特性測定装置。
【００９５】
［実施態様３］  前記輝度特性結果記憶手段が格納した前記平均輝度パターンの前記平均輝度の値および前記一定輝度パターンの前記一定輝度に応じた前記画素濃度の値を複数参照して集計する輝度特性結果集計手段を更に具備することを特徴とする実施態様２に記載の輝度特性測定装置。
【００９６】
［実施態様４］  前記輝度特性測定画像生成手段は、前記平均輝度パターンの前記平均輝度が一定となる前記平均輝度パターンと、所定の画素濃度単位の増減に応じて前記一定輝度が変化する前記一定輝度パターンとの組み合わせを複数組含む輝度特性測定画像を生成することを特徴とする実施態様１から実施態様３のいずれか１つに記載の輝度特性測定装置。
【００９７】
［実施態様５］  前記所定の画素濃度単位の増減に応じて変化する前記一定輝度の変化量が、人間の知覚可能な輝度差に応じた変化量であることを特徴とする実施態様４に記載の輝度特性測定装置。
【００９８】
［実施態様６］  前記輝度特性測定画像生成手段は、前記一定輝度が同一の前記一定輝度パターンと、最高輝度となる画素濃度と最低輝度となる画素濃度との組み合わせの変更による所定の平均輝度単位の増減に応じて前記平均輝度が変化する前記平均輝度パターンとの組み合わせを複数組含む輝度特性測定画像を生成することを特徴とする実施態様１から実施態様３のいずれか１つに記載の輝度特性測定装置。
【００９９】
［実施態様７］  前記所定の平均輝度単位の増減に応じて変化する前記平均輝度の変化量が、人間の知覚可能な輝度差に応じた変化量であることを特徴とする実施態様６に記載の輝度特性測定装置。
【０１００】
［実施態様８］  前記輝度特性測定画像生成手段は、前記平均輝度パターンの前記平均輝度が一定となる前記平均輝度パターンと、所定の画素濃度単位で順次増加する第１の一定輝度を有する第１の一定輝度パターンおよび第２の一定輝度を有する第２の一定輝度パターンおよび第３の一定輝度を有する第３の一定輝度パターンとの組み合わせを含む輝度特性測定画像を生成し、
前記測定結果取得手段は、前記平均輝度パターンの平均輝度の値および前記第２の一定輝度に応じた画素濃度の値を取得することを特徴とする実施態様１に記載の輝度特性測定装置。
【０１０１】
［実施態様９］  前記所定の画素濃度単位の増加に応じて変化する前記一定輝度の変化量が、人間の知覚可能な輝度差に応じた変化量であることを特徴とする実施態様８に記載の輝度特性測定装置。
【０１０２】
［実施態様１０］  前記輝度特性測定画像生成手段は、複数の前記一定輝度パターンの前記一定輝度がすべて一定となる前記一定輝度パターンと、最高輝度となる画素濃度と最低輝度となる画素濃度との組み合わせの変更による所定の平均輝度単位で順次増加する第１の平均輝度を有する第１の平均輝度パターンおよび第２の平均輝度を有する第２の平均輝度パターンおよび第３の平均輝度を有する第３の平均輝度パターンとの組み合わせを含む輝度特性測定画像を生成し、
前記測定結果取得手段は、前記一定輝度パターンの一定輝度の値および前記第２の平均輝度に応じた画素濃度の値を取得することを特徴とする実施態様１に記載の輝度特性測定装置。
【０１０３】
［実施態様１１］  前記所定の平均輝度単位の増加に応じて変化する前記平均輝度の変化量が、人間の知覚可能な輝度差に応じた変化量であることを特徴とする実施態様１０に記載の輝度特性測定装置。
【０１０４】
［実施態様１２］  表示装置に画像を表示する際の前記画像の画素濃度と前記表示装置の輝度との関係を示す輝度特性を測定する輝度特性測定装置を用いた輝度特性測定方法であって、
前記表示装置において最高輝度となる画素濃度と最低輝度となる画素濃度との組み合わせで構成されることで所定の平均輝度を実現する平均輝度パターンと、前記平均輝度パターンと比較するための一定輝度となる画素濃度から構成される一定輝度パターンとを一組として、前記平均輝度および／または前記一定輝度の異なる複数組を含む輝度特性測定画像を生成する第１のステップと、
前記第１のステップで生成した前記輝度特性測定画像を基に、前記複数組の前記平均輝度パターンと前記一定輝度パターンを前記表示装置に表示させると共に、前記平均輝度パターンの平均輝度および／または複数の前記一定輝度パターンの一定輝度を利用者が調整可能な調整手段を前記表示装置に表示させる第２のステップと、
前記第２のステップで前記利用者が前記調整手段により調整後において、前記複数組における一組である前記平均輝度パターンの平均輝度の値および前記一定輝度パターンの一定輝度に応じた画素濃度の値を取得する第３のステップと
を有することを特徴とする輝度特性測定方法。
【０１０５】
［実施態様１３］  前記第１のステップは、前記平均輝度パターンの前記平均輝度が一定となる前記平均輝度パターンと、所定の画素濃度単位の増減に応じて前記一定輝度が変化する前記一定輝度パターンとの組み合わせを複数組含む輝度特性測定画像を生成することを特徴とする実施態様１２に記載の輝度特性測定方法。
【０１０６】
［実施態様１４］  前記所定の画素濃度単位の増減に応じて変化する前記一定輝度の変化量が、人間の知覚可能な輝度差に応じた変化量であることを特徴とする実施態様１３に記載の輝度特性測定方法。
【０１０７】
［実施態様１５］  前記第１のステップは、前記一定輝度が同一の前記一定輝度パターンと、最高輝度となる画素濃度と最低輝度となる画素濃度との組み合わせの変更による所定の平均輝度単位の増減に応じて前記平均輝度が変化する前記平均輝度パターンとの組み合わせを複数組含む輝度特性測定画像を生成することを特徴とする実施態様１２に記載の輝度特性測定方法。
【０１０８】
［実施態様１６］  前記所定の平均輝度単位の増減に応じて変化する前記平均輝度の変化量が、人間の知覚可能な輝度差に応じた変化量であることを特徴とする実施態様１５に記載の輝度特性測定方法。
【０１０９】
［実施態様１７］  前記第１のステップは、前記平均輝度パターンの前記平均輝度が一定となる前記平均輝度パターンと、所定の画素濃度単位で順次増加する第１の一定輝度を有する第１の一定輝度パターンおよび第２の一定輝度を有する第２の一定輝度パターンおよび第３の一定輝度を有する第３の一定輝度パターンとの組み合わせを含む輝度特性測定画像を生成し、
前記第３のステップは、前記平均輝度パターンの平均輝度の値および前記第２の一定輝度に応じた画素濃度の値を取得することを特徴とする実施態様１２に記載の輝度特性測定方法。
【０１１０】
［実施態様１８］  前記所定の画素濃度単位の増加に応じて変化する前記一定輝度の変化量が、人間の知覚可能な輝度差に応じた変化量であることを特徴とする実施態様１７に記載の輝度特性測定方法。
【０１１１】
［実施態様１９］  前記第１のステップは、複数の前記一定輝度パターンの前記一定輝度がすべて一定となる前記一定輝度パターンと、最高輝度となる画素濃度と最低輝度となる画素濃度との組み合わせの変更による所定の平均輝度単位で順次増加する第１の平均輝度を有する第１の平均輝度パターンおよび第２の平均輝度を有する第２の平均輝度パターンおよび第３の平均輝度を有する第３の平均輝度パターンとの組み合わせを含む輝度特性測定画像を生成し、
前記測定結果取得手段は、前記一定輝度パターンの一定輝度の値および前記第２の平均輝度に応じた画素濃度の値を取得することを特徴とする実施態様１２に記載の輝度特性測定方法。
【０１１２】
［実施態様２０］  前記所定の平均輝度単位の増加に応じて変化する前記平均輝度の変化量が、人間の知覚可能な輝度差に応じた変化量であることを特徴とする実施態様１９に記載の輝度特性測定方法。
【０１１３】
［実施態様２１］  表示装置に画像を表示する際の前記画像の画素濃度と前記表示装置の輝度との関係を示す輝度特性を測定する輝度特性測定装置用のプログラムを記録したコンピュータ読み取り可能な記録媒体であって、
前記表示装置において最高輝度となる画素濃度と最低輝度となる画素濃度との組み合わせで構成されることで所定の平均輝度を実現する平均輝度パターンと、前記平均輝度パターンと比較するための一定輝度となる画素濃度から構成される一定輝度パターンとを一組として、前記平均輝度および／または前記一定輝度の異なる複数組を含む輝度特性測定画像を生成する第１のステップと、
前記第１のステップで生成した前記輝度特性測定画像を基に、前記複数組の前記平均輝度パターンと前記一定輝度パターンを前記表示装置に表示させると共に、複数の前記平均輝度パターンの平均輝度および／または複数の前記一定輝度パターンの一定輝度を利用者が調整可能な調整手段を前記表示装置に表示させる第２のステップと、
前記第２のステップで前記利用者が前記調整手段により調整後において、前記複数組における一組である前記平均輝度パターンの平均輝度の値および前記一定輝度パターンの一定輝度に応じた画素濃度の値を取得する第３のステップと
を前記輝度特性測定装置のコンピュータに実行させるプログラムを記録したコンピュータ読み取り可能な記録媒体。
【０１１４】
［実施態様２２］  表示装置に画像を表示する際の前記画像の画素濃度と前記表示装置の輝度との関係を示す輝度特性を測定する輝度特性測定装置用のプログラムであって、
前記表示装置において最高輝度となる画素濃度と最低輝度となる画素濃度との組み合わせで構成されることで所定の平均輝度を実現する平均輝度パターンと、前記平均輝度パターンと比較するための一定輝度となる画素濃度から構成される一定輝度パターンとを一組として、前記平均輝度および／または前記一定輝度の異なる複数組を含む輝度特性測定画像を生成する第１のステップと、
前記第１のステップで生成した前記輝度特性測定画像を基に、前記複数組の前記平均輝度パターンと前記一定輝度パターンを前記表示装置に表示させると共に、複数の前記平均輝度パターンの平均輝度および／または複数の前記一定輝度パターンの一定輝度を利用者が調整可能な調整手段を前記表示装置に表示させる第２のステップと、
前記第２のステップで前記利用者が前記調整手段により調整後において、前記複数組における一組である前記平均輝度パターンの平均輝度の値および前記一定輝度パターンの一定輝度に応じた画素濃度の値を取得する第３のステップと
を前記輝度特性測定装置のコンピュータに実行させるプログラム。
【０１１５】
［実施態様２３］  表示装置に画像を表示する際の前記画像の画素濃度と前記表示装置の輝度との関係を示す輝度特性を測定する輝度特性測定装置であって、
前記表示装置において最高輝度となる画素濃度と最低輝度となる画素濃度との組み合わせで構成されることで所定の平均輝度を実現する平均輝度パターンと、前記平均輝度パターンと比較するための一定輝度となる画素濃度から構成される一定輝度パターンとを一組として、前記平均輝度および／または前記一定輝度の異なる複数組を含む輝度特性測定画像を生成する輝度特性測定画像生成手段と、
前記輝度特性測定画像生成手段が生成した前記輝度特性測定画像を基に、前記複数組の前記平均輝度パターンと前記一定輝度パターンを前記表示装置に表示させると共に、前記平均輝度パターンと前記一定輝度パターンとの組み合わせに対応するガンマ定数を前記表示装置に表示させる表示制御手段と
を具備することを特徴とする輝度特性測定装置。
【０１１６】
【発明の効果】
以上説明したように、本発明の表示装置の輝度特性測定装置、輝度特性測定方法、その記録媒体およびそのプログラムは、例えば矩形の最高輝度と最低輝度との組み合わせで構成されることで所定の平均輝度を実現する平均輝度パターン（矩形輝度パターン）と、平均輝度パターンと比較するための一定輝度となる画素濃度から構成される一定輝度パターンとを一組として、例えば一定輝度の異なる複数組を含む輝度特性測定画像を生成して、生成した輝度特性測定画像を基に、複数組の平均輝度パターンと一定輝度パターンを表示装置に表示させると共に、複数の一定輝度パターンの一定輝度を利用者が調整可能な調整手段を表示装置に表示させ、利用者が調整手段により調整後において、複数の中の測定対象である平均輝度パターンの平均輝度の値および一定輝度パターンの一定輝度に応じた画素濃度の値を取得するので、利用者は、複数の一定輝度パターンと平均輝度パターンを比較して測定対象の一定輝度パターンの一定輝度が平均輝度パターンの平均輝度と等しい輝度になるよう精度よく調整できる。すなわち、平均輝度パターン（矩形輝度パターン）を用いて表示装置の輝度特性を精度良く測定することができる。
【図面の簡単な説明】
【図１】本発明の第１の実施形態に輝度特性測定装置の概略構成を示す図である。
【図２】図１に示した輝度特性測定画像生成部Ｍ０２１が生成する一組の矩形輝度パターンと一定輝度パターンを含む輝度特性測定画像例を示す図である。
【図３】図１に示した輝度特性測定画面Ｓの具体例である輝度特性測定画面Ｓａを示す図である。
【図４】第２の実施形態として図１に示した輝度特性測定画面Ｓの具体例である輝度特性測定画面Ｓｂを示す図である。
【図５】第３の実施形態として図１に示した輝度特性測定画面Ｓの具体例である輝度特性測定画面Ｓｃを示す図である。
【図６】図３に示した輝度特性測定画面Ｓａにおける一定輝度パターン表示部ａ１１、ａ１２、ａ１３の関係を示す図である。
【図７】図３に示した輝度特性測定画面Ｓａにおける一定輝度パターン表示部ａ１１、ａ１２、ａ１３の関係を示す図である。
【図８】図３に示した輝度特性測定画面Ｓａにおける一定輝度パターン表示部ａ１１、ａ１２、ａ１３の関係を示す図である。
【図９】図３に示した輝度特性測定画面Ｓａにおける一定輝度パターン表示部ａ１１、ａ１２、ａ１３の関係を示す図である。
【図１０】図１に示した輝度特性測定装置Ｍ００における輝度特性の測定動作を示す図である。
【図１１】図１に示した輝度特性測定装置Ｍ００における輝度特性の測定結果例を示す図である。
【図１２】図４に示した輝度特性測定画面Ｓｂにおける矩形輝度パターン表示部ｂ２１、ｂ２２、ｂ２３の関係を示す図である。
【図１３】図４に示した輝度特性測定画面Ｓｂにおける矩形輝度パターン表示部ｂ２１、ｂ２２、ｂ２３の関係を示す図である。
【図１４】本発明の第３の実施形態における（式３）の関係例を示す図である。
【図１５】表示装置Ａの輝度特性を示す図である。
【図１６】表示装置Ｂの輝度特性を示す図である。
【図１７】光学的輝度測定装置により測定した輝度特性グラフ例を示す図である。
【図１８】光学的輝度測定装置における測定動作を示すフロー図である。
【図１９】上述した矩形輝度パターンを利用した測定方法の一例を示す図である。
【図２０】Ｘ軸に画素濃度を、Ｙ軸に輝度をプロットした輝度特性グラフを示す図である。
【図２１】Ｘ軸が画素濃度の値を示し、Ｙ軸が輝度の値を示す輝度特性グラフを示す図である。
【図２２】Ｘ軸が画素濃度の値を示し、Ｙ軸が輝度の値を示す輝度特性グラフを示す図である。
【図２３】人間の知覚特性を示す図である。
【符号の説明】
Ｍ００    輝度特性測定装置
Ｍ０１    ディスプレイ
Ｍ０１１  輝度特性測定部
Ｍ０２    コンピュータ
Ｍ０２１  輝度特性測定画像生成部
Ｍ０２２  輝度特性結果記憶部
Ｍ０２３  輝度特性結果集計部
Ｍ０３    外部入力装置
Ｓ、Ｓａ、Ｓｂ、Ｓｃ      輝度特性測定画面
Ｓ１１、Ｓ１２、Ｓ１３    輝度表示区画部
ａ１１、ａ１２、ａ１３    一定輝度パターン表示部
ｂ１１、ｂ１２、ｂ１３    矩形輝度パターン表示部
Ｋ９      調整つまみ
Ｋ１０    輝度パターン可変部
【図１】
2004289652.tif 000003
【図２】
2004289652.tif 000004
【図３】
2004289652.tif 000005
【図４】
2004289652.tif 000006
【図５】
2004289652.tif 000007
【図６】
2004289652.tif 000008
【図７】
2004289652.tif 000009
【図８】
2004289652.tif 000010
【図９】
2004289652.tif 000011
【図１０】
2004289652.tif 000012
【図１１】
2004289652.tif 000013
【図１２】
2004289652.tif 000014
【図１３】
2004289652.tif 000015
【図１４】
2004289652.tif 000016
【図１５】
2004289652.tif 000017
【図１６】
2004289652.tif 000018
【図１７】
2004289652.tif 000019
【図１８】
2004289652.tif 000020
【図１９】
2004289652.tif 000021
【図２０】
2004289652.tif 000022
【図２１】
2004289652.tif 000023
【図２２】
2004289652.tif 000024
【図２３】
2004289652.tif 000025